(57)【要約】【課題】ユーザの操作性を高めることができる携帯情報端末を得ることを目的とする。【解決手段】主画面生成部４により生成されたメニュー画面（主画面）と関連する詳細画面（従画面）を生成し、そのメニュー画面と詳細画面をレンティキュラー表示器７に多重表示するように構成した。これにより、メニュー画面から所定のメニュー項目を実際に選択しなくても、そのメニュー項目の詳細内容を確認することができるようになり、ユーザの操作性を高めることができる効果を奏する。【選択図】        図１
2004318268.tif 000002
【特許請求の範囲】
【請求項１】
主画面を生成する主画面生成手段と、上記主画面生成手段により生成された主画面における注目箇所のプレビューを示す従画面を生成する従画面生成手段と、上記主画面生成手段により生成された主画面と上記従画面生成手段により生成された従画面を多重表示する多重表示手段とを備えた携帯情報端末。
【請求項２】
多重表示手段は、複数の従画面を多重表示することを特徴とする請求項１記載の携帯情報端末。
【請求項３】
多重表示手段は、ディスプレイに対する視線角度に応じて主画面又は従画面の何れかの視認を可能にすることを特徴とする請求項１または請求項２記載の携帯情報端末。
【請求項４】
多重表示手段は、画面の切換操作に応じて主画面又は従画面の何れかの視認を可能にすることを特徴とする請求項１または請求項２記載の携帯情報端末。
【請求項５】
従画面生成手段は、主画面生成手段により生成された主画面が１以上のメニュー項目を示すメニュー画面である場合、任意のメニュー項目の詳細内容を示す従画面を生成することを特徴とする請求項１から請求項４のうちのいずれか１項記載の携帯情報端末。
【請求項６】
従画面生成手段は、主画面生成手段により生成された主画面が文字入力を受け付ける文字入力画面である場合、その文字入力画面で入力された文字の変換候補を示す従画面を生成することを特徴とする請求項１から請求項４のうちのいずれか１項記載の携帯情報端末。
【請求項７】
従画面生成手段は、主画面生成手段により生成された主画面がサイトのリンク情報を示すリンク情報画面である場合、そのサイトのページデータを読み込んで、そのサイトのホームページを示す従画面を生成することを特徴とする請求項１から請求項４のうちのいずれか１項記載の携帯情報端末。
【請求項８】
通話相手の画像を示す主画面を生成する主画面生成手段と、自己の画像を示す従画面を生成する従画面生成手段と、上記主画面生成手段により生成された主画面と上記従画面生成手段により生成された従画面を多重表示する多重表示手段とを備えた携帯情報端末。
【発明の詳細な説明】
【０００１】
【発明の属する技術分野】
この発明は、操作性の高い携帯情報端末に関するものである。
【０００２】
【従来の技術】
従来の携帯電話などの携帯情報端末は、所望の機能を選択する際、メニュー画面を表示し、所望の機能に対応するメニュー項目がメニュー画面に現れるまで、そのメニュー画面をスクロールするようにしている（例えば、特許文献１参照）。
【０００３】
【特許文献１】
特開２００２−１８５５９９号公報（段落番号［００１４］から［００２６］、図６）
【０００４】
【発明が解決しようとする課題】
従来の携帯情報端末は以上のように構成されているので、例えば、メニュー画面が階層化されているような場合、上位のメニュー画面から所定のメニュー項目を実際に選択しなければ、下位のメニュー画面のメニュー項目を見ることができず、操作に不慣れなユーザは所望の機能を速やかに選択することができないなどの課題があった。
【０００５】
この発明は上記のような課題を解決するためになされたもので、ユーザの操作性を高めることができる携帯情報端末を得ることを目的とする。
【０００６】
【課題を解決するための手段】
この発明に係る携帯情報端末は、主画面生成手段により生成された主画面における注目箇所のプレビューを示す従画面を生成し、その主画面と従画面を多重表示するようにしたものである。
【０００７】
【発明の実施の形態】
以下、この発明の実施の一形態を説明する。
実施の形態１．
図１はこの発明の実施の形態１による携帯情報端末を示す構成図である。この実施の形態１では携帯情報端末が携帯電話であるものについて説明するが、これに限るものではなく、例えば、ＰＤＡやモバイルＰＣなどでもよい。
図において、キー入力部１は携帯電話のテンキーやメニューキー等が該当し、例えば、メニュー画面の表示や所望の機能項目の選択等を行う際に使用される。画面フォーマット格納部２は携帯電話に内蔵されているメモリの一部を占有し、各種のメニュー画面（例えば、電話帳に関するメニュー画面、メールに関するメニュー画面、初期設定に関するメニュー画面、インターネットに関するメニュー画面）の定型的な画面形式データの他、電話帳に対する情報登録用の文字入力画面や送信メールの文字入力画面等の画面形式データを格納している。
データ格納部３は携帯電話に内蔵されているメモリの一部を占有し、仮名漢字データの他、電話帳に対する登録データや受信メールなどを格納している。
【０００８】
主画面生成部４は例えばキー入力部１から所望のメニュー画面の表示要求を受けると、画面フォーマット格納部２に格納されている当該メニュー画面の画面形式データと、データ格納部３に格納されている当該メニュー画面に関連するデータとにしたがってメニュー画面（主画面）を生成する。従画面生成部５は主画面生成部４により生成されたメニュー画面における注目箇所のプレビューを示す従画面（例えば、メニュー画面における任意のメニュー項目の詳細内容を示す詳細画面）を生成する。
なお、画面フォーマット格納部２、データ格納部３及び主画面生成部４から主画面生成手段が構成され、画面フォーマット格納部２、データ格納部３及び従画面生成部５から従画面生成手段が構成されている。
【０００９】
多重表示制御部６は主画面生成部４により生成されたメニュー画面と従画面生成部５により生成された詳細画面をレンティキュラー表示器７に多重表示する。レンティキュラー表示器７は主画面表示用の走査線を構成する画素群と、従画面表示用の走査線を構成する画素群とが交互に配置され、ディスプレイに対する視線角度に応じて主画面又は従画面の何れかの視認を可能にするレンティキュラーレンズが上記走査線の上に載置されている。なお、多重表示制御部６及びレンティキュラー表示器７から多重表示手段が構成されている。
データ送受信部８は図示せぬ有線回線や無線回線を利用して、例えば、インターネット上のホームページからページデータを受信し、また、テレビ電話機能を実施する際に通話相手の画像を受信して、自己の画像を通話相手に送信する。
ここで、主画面生成部４、従画面生成部５、多重表示制御部６及びデータ送受信部８を実現するハードウエアであるが、例えば、それぞれ専用のＬＳＩにより実現してもよいが、主画面生成部４、従画面生成部５、多重表示制御部６及びデータ送受信部８の機能を実現するプログラムを用意し、図示せぬ携帯電話のＣＰＵが当該プログラムを実行するようにしてもよい。
図２は携帯電話の処理内容を示すフローチャートである。
【００１０】
次に動作について説明する。
ユーザがキー入力部１を操作して、例えば、電話帳に関するメニュー画面の表示を選択すると（ステップＳＴ１）、主画面生成部４が画面フォーマット格納部２に格納されている電話帳に関するメニュー画面の画面形式データと、データ格納部３に格納されている電話帳の登録データ（例えば、個人の氏名、会社の名称など）とを参照して、図３（ａ）に示すようなメニュー画面（主画面）を生成する（ステップＳＴ２）。
【００１１】
従画面生成部５は、主画面生成部４がメニュー画面を生成すると、画面フォーマット格納部２に格納されている電話帳に関する詳細画面の画面形式データと、データ格納部３に格納されている電話帳の登録詳細データ（例えば、氏名、ふりがな、画像、電話番号、メールアドレス、住所など）とを参照して、図３（ｂ）に示すように、任意のメニュー項目（現在選択が可能な状態にある反転表示の項目）の詳細内容を示す詳細画面（従画面）を生成する（ステップＳＴ３）。
なお、ユーザがキー入力部１を操作して、メニュー画面における他のメニュー項目を選択すると、従画面生成部５は、他のメニュー項目の詳細内容を示す詳細画面（従画面）を生成し、詳細画面（従画面）の表示内容を更新する。
すなわち、従画面生成部５は、キー入力部１の入力信号に従ってメニュー項目の注目箇所（フォーカス）の移動を検出し、この移動に従って、メモリに記憶された複数の階層を有するメニュー表示データからフォーカスされた選択肢に関連付けられた次階層の表示データを読み出して、従画面を生成する（プレビュー）。なお、ここで、キー入力部１より注目箇所の選択を確定する入力があった場合には、主画面生成部４が、従画面でプレビューしていた画面と同様の画面を表示する。そして、従画面には、次の階層に属する画面がプレビューとして表示される。
例えば、図３に示すように、メニュー画面において、“中田○○”の項目が反転表示されているときは、従画面生成部５は、“中田○○”に係る情報を示す詳細画面（従画面）を生成するが、ユーザがキー入力部１を操作して、例えば、“佐藤△△”の項目を反転表示させると、“佐藤△△”に係る情報を示す詳細画面（従画面）を生成して、詳細画面（従画面）の表示内容を更新する。
【００１２】
多重表示制御部６は、主画面生成部４がメニュー画面を生成し、従画面生成部５が詳細画面を生成すると、そのメニュー画面と詳細画面をレンティキュラー表示器７に多重表示する（ステップＳＴ４）。
ここで、レンティキュラー表示器７は、図４に示すように、主画面表示用の走査線を構成する画素群と、従画面表示用の走査線を構成する画素群とが交互に配置されており、また、図５に示すように、ディスプレイに対する視線角度に応じて主画面又は従画面の何れかの視認を可能にするレンティキュラーレンズが走査線の上に載置されている。したがって、視線方向Ａからは主画面を視認できるが従画面を視認できず、視線方向Ｂからは従画面を視認できるが主画面を視認できない。
【００１３】
なお、レンティキュラー表示器７の詳細内容は、特開平６−２３６１５２号公報に開示されている。
これにより、例えば、携帯電話のディスプレイをやや右に傾ければ、メニュー画面の視認が可能になり、携帯電話のディスプレイをやや左に傾ければ、詳細画面の視認が可能になる。
この実施の形態１では、レンティキュラー表示器７を用いて主画面と従画面を多重表示するものについて示したが、これに限らず、例えば、液晶シャッターを用いて複数の画像の表示角度を制御する表示器など、あらゆる多重表示器を使用することができる。
【００１４】
以上で明らかなように、この実施の形態１によれば、主画面生成部４により生成されたメニュー画面（主画面）における注目箇所のプレビューを示す詳細画面（従画面）を生成し、そのメニュー画面と詳細画面をレンティキュラー表示器７に多重表示するように構成したので、メニュー画面から所定のメニュー項目を実際に選択しなくても、そのメニュー項目の詳細内容を確認することができるようになり、ユーザの操作性を高めることができる効果を奏する。
【００１５】
なお、この実施の形態１では、ユーザが携帯電話のディスプレイを右又は左に傾けて主画面又は従画面の何れかを視認するものについて示したが、走査線を構成する画素群とレンティキュラーレンズの相対的な位置を変更すれば、ディスプレイに対する主画面又は従画面の視線角度を適宜変更することができる。したがって、ディスプレイが正面を向いているとき主画面の視認のみを可能にして、ディスプレイが傾いているとき従画面の視認のみを可能にすることができる。
また、主画面表示用の走査線を構成する画素群と、従画面表示用の走査線を構成する画素群とを、ディスプレイの縦方向において交互に配置するようにすれば、ユーザが携帯電話のディスプレイを上又は下に傾けることによって、主画面又は従画面の何れかを視認することができるようになる。
【００１６】
実施の形態２．
上記実施の形態１では、電話帳に関するメニュー画面（主画面）と、そのメニュー項目の詳細内容を示す詳細画面（従画面）とを多重表示するものについて示したが、これに限るものではなく、例えば、写真画像に関するメニュー画面（主画面）と、そのメニュー項目（サムネイル写真）の詳細内容（拡大写真）を示す詳細画面（従画面）とを多重表示するようにしてもよい（図６を参照）。
さらに、任意のメニュー項目（サムネイル画像）が選択された場合、その拡大写真（主画面）と、その拡大写真のプロパティ画面（従画面）とを多重表示するようにしてもよい（図７を参照）。
これにより、上記実施の形態１と同様に、ユーザの操作性を高めることができる効果を奏する。
【００１７】
実施の形態３．
上記実施の形態１では、電話帳に関するメニュー画面（主画面）と、そのメニュー項目の詳細内容を示す詳細画面（従画面）とを多重表示するものについて示したが、図８（ａ）に示すように、主画面生成部４により生成された主画面が文字入力を受け付ける文字入力画面である場合、従画面生成部５が文字入力画面で入力された文字（注目箇所）の変換候補（プレビュー）を示す変換候補画面（従画面）を生成し（図８（ｂ）を参照）、多重表示制御部６が文字入力画面と変換候補画面をレンティキュラー表示器７に多重表示するようにしてもよい。
【００１８】
具体的には、ユーザがキー入力部１を操作して、例えば、送信メールの生成を行うための文字入力画面や、電話帳に氏名や住所を登録するための文字入力画面の表示を選択すると、主画面生成部４が画面フォーマット格納部２に格納されている文字入力画面の画面形式データを参照して、図８（ａ）に示すような文字入力画面を生成する。ただし、編集中の文書等がデータ格納部３に格納されている場合には、文字入力画面を生成する際、データ格納部３に格納されている文書データを参照して文字入力画面を生成する。
【００１９】
多重表示制御部６により文字入力画面がレンティキュラー表示器７に表示されたのち、ユーザがキー入力部１を操作して、例えば、“せいさく”という文字を入力すると（図８（ａ）を参照）、従画面生成部５がデータ格納部３に格納されている仮名漢字データを参照して、その“せいさく”に対応する変換候補を選び出し、その変換候補を示す変換候補画面（従画面）を生成する（図８（ｂ）を参照）。
多重表示制御部６は、従画面生成部５が変換候補画面（従画面）を生成すると、上記実施の形態１と同様に、文字入力画面と変換候補画面をレンティキュラー表示器７に多重表示する。
【００２０】
なお、図８（ｂ）の変換候補画面において、ユーザがキー入力部１を操作して、“制作”を選択すると、図９（ａ）に示すように、変換結果として“制作”が文字入力画面に表示される。
これにより、ユーザは現在編集中の文章と変換候補を適宜見比べながら、入力文字の変換候補を選択することができるため、上記実施の形態１と同様に、ユーザの操作性を高めることができる効果を奏する。
【００２１】
実施の形態４．
上記実施の形態１では、電話帳に関するメニュー画面（主画面）と、そのメニュー項目の詳細内容を示す詳細画面（従画面）とを多重表示するものについて示したが、図１０（ａ）に示すように、主画面生成部４により生成された主画面がサイトのリンク情報を示すリンク情報画面である場合、従画面生成部５が選択状態にあるリンク情報（注目箇所）を参照して、そのサイトのページデータを読み込んでサイトのホームページ（プレビュー）を示すページ表示画面（従画面）を生成し（図１０（ｂ）を参照）、多重表示制御部６がリンク情報画面とページ表示画面をレンティキュラー表示器７に多重表示するようにしてもよい。
図１１はこの発明の実施の形態４による携帯情報端末（携帯電話）の処理内容を示すフローチャートである。
【００２２】
具体的には、ユーザがキー入力部１を操作して、例えば、サイトのリンク情報を示すリンク情報画面の表示を選択すると、主画面生成部４が画面フォーマット格納部２に格納されているリンク情報画面の画面形式データを参照して、図１０（ａ）に示すようなリンク情報画面を生成する（ステップＳＴ１１）。ただし、リンク情報画面に張り付けられるリンク情報は、各種のリンク情報画面毎に、データ格納部３に格納されているので、データ格納部３から表示対象のリンク情報画面のリンク情報を読み出してリンク情報画面を生成する。図１０（ａ）の例では、２つのリンク情報がリンク情報画面に張り付けられている。
【００２３】
多重表示制御部６によりリンク情報画面がレンティキュラー表示器７に表示されたのち、図１０（ａ）に示すように、“情報１”のリンク情報が現在選択可能な状態にあれば、従画面生成部５が“情報１”のリンク情報を参照し、データ送受信部８を使用して、そのリンク先のサイトからページデータのダウンロードを開始し（ステップＳＴ１２）、そのページデータをデータ格納部３又は図示せぬキャッシュに格納する。
従画面生成部５は、画面１ページ分のページデータのダウンロードが完了した場合、あるいは、全ページデータのダウンロードが完了した場合、図１０（ｂ）に示すように、そのキャッシュ等に格納されているページデータにしたがって当該サイトのホームページを示すページ表示画面（従画面）を生成する（ステップＳＴ１３，ＳＴ１４）。
多重表示制御部６は、従画面生成部５がページ表示画面（従画面）を生成すると、上記実施の形態１と同様に、リンク情報画面とページ表示画面をレンティキュラー表示器７に多重表示する（ステップＳＴ１５）。
【００２４】
なお、図１０（ａ）のリンク情報画面において、ユーザがキー入力部１を操作して、“情報１”を選択すると、図１２（ａ）に示すように、ページ表示画面が主画面として表示されるが、図中、太枠の画像がリンク情報を有している場合、さらに、従画面生成部５が当該リンク情報にしたがって図１２（ｂ）に示すようなページ表示画面（従画面）を生成する。
これにより、リンク情報画面とリンク先のホームページを適宜見比べながら、リンク情報を選択することができるため、上記実施の形態１と同様に、ユーザの操作性を高めることができる効果を奏する。
【００２５】
実施の形態５．
上記実施の形態１では、電話帳に関するメニュー画面（主画面）と、そのメニュー項目の詳細内容を示す詳細画面（従画面）とを多重表示するものについて示したが、図１３（ａ）に示すように、主画面生成部４により生成された主画面が通話相手の画像を示す相手画像表示画面である場合、従画面生成部５が自己の画像を示す自画像表示画面（従画面）を生成し（図１３（ｂ）を参照）、多重表示制御部６が相手画像表示画面と自画像表示画面をレンティキュラー表示器７に多重表示するようにしてもよい。
【００２６】
具体的には、ユーザがキー入力部１を操作して、テレビ電話機能を選択すると、主画面生成部４が画面フォーマット格納部２に格納されている相手画像表示画面の画面形式データと、通話相手の端末から送信され、データ送受信部８により受信された通話相手の画像とにしたがって図１３（ａ）に示すような相手画像表示画面を生成する。
また、従画面生成部５は、画面フォーマット格納部２に格納されている自画像表示画面の画面形式データと、図示せぬ携帯電話のカメラにより撮像された自画像とにしたがって図１３（ｂ）に示すような自画像表示画面を生成する。なお、カメラにより撮像された自画像は、テレビ電話機能によって通話相手の端末に送信される。
【００２７】
多重表示制御部６は、主画面生成部４が相手画像表示画面を生成し、従画面生成部５が自画像表示画面を生成すると、上記実施の形態１と同様に、相手画像表示画面と自画像表示画面をレンティキュラー表示器７に多重表示する。
この実施の形態５によれば、ユーザは携帯電話を傾けるだけで、通話相手の画像と自己の画像を見ることができる効果を奏する。
【００２８】
実施の形態６．
上記実施の形態１〜５では、従画面生成部５が１つだけ従画面を生成するものについて示したが、従画面生成部５が２以上の従画面を生成し、多重表示制御部６が主画面と２以上の従画面を多重表示するようにしてもよい。
図１４の例は、（ｂ）が主画面生成部４により生成された電話帳に関するメニュー画面であり、（ｃ）が従画面生成部５により生成されたメニュー項目の詳細画面である。また、（ａ）が（ｂ）のメニュー画面を選択するための選択画面であって、従画面生成部５により生成された上位メニュー画面である。
これにより、例えば、携帯電話のディスプレイの正面を向ければ、（ｂ）のメニュー画面の視認が可能になり、携帯電話のディスプレイをやや右に傾ければ、（ａ）の上位メニュー画面の視認が可能になり、携帯電話のディスプレイをやや左に傾ければ、（ｃ）の詳細画面の視認が可能になる。
【００２９】
また、図１５の例は、（ｂ）が主画面生成部４により生成されたリンク情報画面であり、（ｃ）が従画面生成部５により生成されたページ表示画面である。また、（ａ）が（ｂ）のリンク情報画面を選択するための選択画面であって、従画面生成部５により生成された上位メニュー画面である。
これにより、例えば、携帯電話のディスプレイの正面を向ければ、（ｂ）のリンク情報画面の視認が可能になり、携帯電話のディスプレイをやや右に傾ければ、（ａ）の上位メニュー画面の視認が可能になり、携帯電話のディスプレイをやや左に傾ければ、（ｃ）のページ表示画面の視認が可能になる。
これにより、上記実施の形態１と同様に、ユーザの操作性を高めることができる効果を奏する。
【００３０】
実施の形態７．
上記実施の形態１〜６では、多重表示制御部６が主画面と従画面をレンティキュラー表示器７に多重表示することにより、携帯電話のディスプレイを傾ければ、主画面又は従画面の何れかを視認することができるものについて示したが、ユーザがキー入力部１を用いて画面の切換操作を行うと、多重表示制御部６がその切換操作に応じて主画面又は従画面の何れかを表示するようにしてもよい。
この場合、ユーザは単に画面の切換操作を行うだけで、主画面又は従画面の何れかを視認することができるので、上記実施の形態１と同様に、ユーザの操作性を高めることができる効果を奏する。
なお、この場合、レンティキュラー表示器７を用いる必要はなく、見る角度に関わらず同一の画像を表示する通常の表示器を用いればよい。
【００３１】
【発明の効果】
以上のように、この発明によれば、主画面生成手段により生成された主画面における注目箇所のプレビューを示す従画面を生成し、その主画面と従画面を多重表示するように構成したので、ユーザが必要に応じて互いに関連性のある主画面と従画面を視認することができる結果、ユーザの操作性を高めることができる効果を奏する。
【図面の簡単な説明】
【図１】この発明の実施の形態１による携帯情報端末を示す構成図である。
【図２】携帯電話の処理内容を示すフローチャートである。
【図３】メニュー画面（主画面）と詳細画面（従画面）を示す説明図である。
【図４】レンティキュラー表示器の内部構成を示す構成図である。
【図５】レンティキュラー表示器を示す断面図である。
【図６】メニュー画面（主画面）と詳細画面（従画面）を示す説明図である。
【図７】拡大写真（主画面）とプロパティ画面（従画面）を示す説明図である。
【図８】文字入力画面（主画面）と変換候補画面（従画面）を示す説明図である。
【図９】文字入力画面（主画面）と変換候補画面（従画面）を示す説明図である。
【図１０】リンク情報画面（主画面）とページ表示画面（従画面）を示す説明図である。
【図１１】この発明の実施の形態４による携帯情報端末（携帯電話）の処理内容を示すフローチャートである。
【図１２】リンク情報画面（主画面）とページ表示画面（従画面）を示す説明図である。
【図１３】相手画像表示画面（主画面）と自画像表示画面（従画面）を示す説明図である。
【図１４】上位メニュー画面（従画面）とメニュー画面（主画面）と詳細画面（従画面）を示す説明図である。
【図１５】上位メニュー画面（従画面）とリンク情報画面（主画面）とページ表示画面（従画面）を示す説明図である。
【符号の説明】
１  キー入力部、２  画面フォーマット格納部（主画面生成手段、従画面生成手段）、３  データ格納部（主画面生成手段、従画面生成手段）、４  主画面生成部（主画面生成手段）、５  従画面生成部（従画面生成手段）、６  多重表示制御部（多重表示手段）、７  レンティキュラー表示器（多重表示手段）、８  データ送受信部。
【図１】
2004318268.tif 000003
【図２】
2004318268.tif 000004
【図３】
2004318268.tif 000005
【図４】
2004318268.tif 000006
【図５】
2004318268.tif 000007
【図６】
2004318268.tif 000008
【図７】
2004318268.tif 000009
【図８】
2004318268.tif 000010
【図９】
2004318268.tif 000011
【図１０】
2004318268.tif 000012
【図１１】
2004318268.tif 000013
【図１２】
2004318268.tif 000014
【図１３】
2004318268.tif 000015
【図１４】
2004318268.tif 000016
【図１５】
2004318268.tif 000017